(57)【要約】【課題】本発明は、コア又はダイの下部に設けたセパレータの分岐部をダイ又はコアの内壁に付勢して接触させることにより、パリソンを二分して一対のシートを形成することを目的とする。【解決手段】本発明によるクロスヘッドは、セパレータ(5,5a)が、コア(9)又はダイ(8)の下部の凹部(31)内に設けられ、各セパレータ(5,5a)のセパレータ体(34)の分岐部(33)は付勢体(35)を介してダイ(8)又はコア(9)の内壁(8a)又は外壁(9a)に付勢されて接触してパリソン(3)をシート(7)に切断する構成である。【選択図】図１
2012240362.tif 000002
【特許請求の範囲】
【請求項１】
ダイ(8)内に上下動自在に配設されたコア(9)と、前記ダイ(8)とコア(9)間に形成された輪状吐出口(2)と、前記コア(9)又はダイ(8)の下部に設けられ前記輪状吐出口(2)から吐出されるパリソン(3)を二分したシート(7)に形成するための一対のセパレータ(5,5a)とからなり、
前記各セパレータ(5,5a)の分岐部(33)は付勢体(35)を介して前記ダイ(8)の内壁(8a)又は前記コア(9)の外壁(9a)に付勢状態で接触していることを特徴とするクロスヘッド。
【請求項２】
前記各セパレータ(5,5a)は、前記コア(9)の下部の凹部(31)又は前記ダイ(8)の下部の凹部(60)に設けられていることを特徴とする請求項１記載のクロスヘッド。
【請求項３】
前記コア(9)の上下動により前記輪状吐出口(2)の半径方向幅(2A)が変化し、前記パリソン(3)の肉厚が変化した場合でも、前記セパレータ(5,5a)による前記パリソン(3)の切断が行われることを特徴とする請求項１記載のクロスヘッド。
【請求項４】
前記各セパレータ(5,5a)は、前記コア(9)又はダイ(8)の直径方向に沿って互いに対向配置されていることを特徴とする請求項１ないし３の何れかに記載のクロスヘッド。
【発明の詳細な説明】
【技術分野】
【０００１】
本発明は、クロスヘッドに関し、特に、コア又はダイの下部に設けた一対のセパレータの分岐部をダイの内壁又はコアの外壁に付勢して接触させることにより、パリソンを二分して一対のシートを形成するための新規な改良に関する。
【背景技術】
【０００２】
従来、例えば、自動車用プラスチック燃料タンクは、ガス透過性や各種機能を満足するため、タンク内部にインサート部品を装着するためのスペースを確保するため、従来の円筒状のパリソンではなく、シート状の樹脂やパリソンに切れ目を入れるなどして成形している。
前述のように、パリソンに切れ目を入れてパリソンから一対のシートを得るための従来技術としては、例えば、図３の第１従来例に示される特許文献１の構成を挙げることができる。
すなわち、図３において符号１で示されるものは押出装置であり、この押出装置１の下部の輪状吐出口２から下方へ吐出されるパリソン３は、この押出装置２の下方へ位置するホルダ４上のボディ５により二分割され、このボディ５の両側に位置する被動ロール６を介して下方へ垂下し、一対のシート７として得ることができる。
【０００３】
また、第２従来例の特許文献２のプラスチックシートの製造装置においては、図４に示されるように、押出装置１のダイ８から垂下するパリソン３は、ダイ８の下方に位置するセパレータ５によって切断されて一枚のシート７に展開部材９を介して展開されている。
【０００４】
また、第３従来例の特許文献３の中空成形方法においては、図５及び図６に示されるように、押出装置１のダイ８内のコア９を経て吐出されるパリソン３は、コア９の流路規制分岐部材５により分岐された一対のシート７として被動ロール６を介して下方へ垂下し、一対の金型２０，２１間で部品２２と共にインサート成形される。
【先行技術文献】
【特許文献】
【０００５】
【特許文献１】特許第４，２９５，２１３号公報
【特許文献２】特開平６−２１８７９２号公報
【特許文献３】特公平４−２０８７号公報
【発明の概要】
【発明が解決しようとする課題】
【０００６】
従来のパリソンからのシートの製造装置は、以上のように構成されていたため、次のような課題が存在していた。
すなわち、図３の特許文献１の構成の場合、クロスヘッドである押出装置１からパリソン３が排出された後に、刃であるボディ５によって二分割に切断されるため、重力が切断のための力になるが、切断デバイスであるボディ５の摩擦が抵抗となり、良好な切断が得られないことがある。
そのため、一対の被動ロール６により切断を補助しなければならなかった。
また、パリソンがボディ５に付着することのないように、ボディ５を冷却しなければならなかった。
また、ボディ５を冷却したために、パリソン３の温度が低くなりすぎると、逆に、パリソン３を加熱しなければ切断できなくなることになっていた。
【０００７】
また、図４の特許文献２の構成の場合、ダイ８の下方にセパレータ５及び展開部材９を設けなければならず、パリソン３が排出された後からの切断となり、前述の特許文献１と同様の課題が存在していた。
また、パリソン３を切断するための構造が複雑となり、中空成形機の全体形状を小型化することが困難であった。
【０００８】
また、図５及び図６に示される特許文献３の構成の場合、コア９の外周にセパレータ５が突出して形成されているため、このセパレータ５は厚さを厚くすることができず、パリソン３の厚さを可変とした場合には追従することができず、コア９を種々交換する必要があった。
本発明は、セパレータをクロスヘッドのコア又はダイ内に設け、クロスヘッド内部は樹脂圧力が存在するため、従来の重力と比べ非常に強い力でパリソンを切断することができ、良好な切断を得ることができるクロスヘッドを提供することを目的とする。
【課題を解決するための手段】
【０００９】
本発明によるクロスヘッドは、ダイ内に上下動自在に配設されたコアと、前記ダイとコア間に形成された輪状吐出口と、前記コア又はダイの下部に設けられ前記輪状吐出口から吐出されるパリソンを二分したシートに形成するための一対のセパレータとからなり、前記各セパレータの分岐部は付勢体を介して前記ダイの内壁又は前記コアの外壁に付勢状態で接触している構成であり、また、前記各セパレータは、前記コアの下部の凹部又は前記ダイの下部の凹部に設けられている構成であり、また、前記コアの上下動により前記輪状吐出口の半径方向幅が変化し、前記パリソンの肉厚が変化した場合でも、前記セパレータによる前記パリソンの切断が行われる構成であり、また、前記各セパレータは、前記コア又はダイの直径方向に沿って互いに対向配置されている構成である。
【発明の効果】
【００１０】
本発明によるクロスヘッドは、以上のように構成されているため、次のような効果を得ることができる。
すなわち、ダイ内に上下動自在に配設されたコアと、前記ダイとコア間に形成された輪状吐出口と、前記コア又はダイの下部に設けられ前記輪状吐出口から吐出されるパリソンを二分したシートに形成するための一対のセパレータとからなり、前記各セパレータの分岐部は付勢体を介して前記ダイの内壁又は前記コアの外壁に付勢状態で接触していることにより、クロスヘッドの輪状吐出口から吐出されたままのパリソンを温度が低下しない状態で一対のセパレータにより切断され、良好な切断状態の一対のシートを得ることができる。
また、コアの上下動時においても、常時、セパレータの先端がダイの内壁に接して摺動しているため、パリソンの肉厚の変化に拘わらず切断することができる。すなわち、クロスヘッドの下部から押し出されたパリソンを押し出される前に分岐しているため、従来の切断刃の状態、位置に左右されることなく安定かつ綺麗に溶融樹脂をシート状に形成できる。
【図面の簡単な説明】
【００１１】
【図１】本発明によるクロスヘッドのコア移動変化を示す断面図である。
【図２】図１の他の形態を示す断面図である。
【図３】第１従来例を示す斜視図である。
【図４】第２従来例を示す斜視図である。
【図５】第３従来例を示す斜視図である。
【図６】図５のコアを示す斜視図である。
【発明を実施するための形態】
【００１２】
本発明は、コア又はダイの下部に設けたセパレータをダイの内壁又はコアの外壁に摺動させることにより、パリソンを二分して一対のシートを形成するようにしたクロスヘッドを提供することを目的とする。
【実施例】
【００１３】
以下、図面と共に本発明によるクロスヘッドの好適な実施の形態について説明する。
尚、従来例と同一又は同等部分については同一符号を付して説明する。
図１において、符号１で示されるものは概略で示すクロスヘッドであり、このクロスヘッド１の輪状をなすダイ８の内側にはコア９が図示しないアクチュエータを介して矢印Ａの方向に沿って上下動できるように構成され、中心線のＰを中心として、左半分はコア９が最上位置に上昇した場合を示し、右半分はコア９が最下位置に下降した場合を示している。
【００１４】
前記クロスヘッド１のダイ８の内壁８ａとコア９の外壁９ａとの間には、多層状の溶融樹脂を下方へ吐出するための樹脂流路３０が形成され、この樹脂流路３０の下部には、パリソン３を吐出するための輪状吐出口２が形成されている。
前記輪状吐出口２の半径方向幅２Ａは、前記コア９の上下動により連続的に変化し、図１の中心線Ｐから左半分の領域においては、コア９が最も上昇しているため、この半径方向幅２Ａは最小となり、図１の中心線Ｐから右半分の領域においては、コア９が最も下降しているため、この半径方向幅２Ａは最大となるように構成されている。
【００１５】
前記コア９の下部には、コア９の直径方向に沿って凹部３１が形成され、この凹部３１内には一対のセパレータ５，５ａが互いに直径方向に沿って互いに対向配置されている。
前記各セパレータ５，５ａは、筒状ホルダ３２と、その先端側に分岐部３３を有する長手状のセパレータ体３４と、前記筒状ホルダ３２の段部３２ａとセパレータ体３４の段部３４ａとの間に設けられた付勢体３５と、からなり、この付勢体３５の付勢力によって前記分岐部３３がダイ８の内壁８ａに常時直接接触するように付勢されている。
【００１６】
前記付勢体３５は、セパレータ体３４の外周に位置するコイルスプリング、ゴムスプリング、蛇腹状体あるいはリニアアクチュエータ等を用いることができ、図１のように、コア９が上下動してパリソン３の肉厚を調整する場合も、前記分岐部３３はダイ８の内壁８ａに付勢された状態で接して摺動し、パリソン３の肉厚の大小に拘わらず、パリソン３を直径方向に沿って二分することができるように構成されている。
【００１７】
前述の本発明によるクロスヘッドを用いてパリソンからシートを形成する場合について説明する。
図示しない押出機から押出された溶融樹脂（単層又は多層）は、樹脂流路３０を経て輪状吐出口２からパリソン３として下方へ吐出される際に、前記各セパレータ５，５ａの各分岐部３３がパリソン３を直径方向に沿って切断するため、クロスヘッド１の下部から吐出される時は、一対のシート７が形成される。
従って、パリソン３は、クロスヘッド１内の温度が高い状態のままで切断されるため、極めて円滑に切断動作が行われる。
【００１８】
また、前記ダイ８は、コア９に対して水平方向に移動することができるように構成され、パリソン３の断面形状を偏芯させ、厚みバランスを変化することにより、前記シート３ａの厚さを種々の形状又は肉厚とすることができる。
尚、前述の形態では、各セパレータ５，５ａをコア９の下部に設けた場合について述べたが、図２で示されるように、各セパレータ５，５ａをダイ８の下部の凹部６０に設けた場合も前述と同様の作用効果を得ることができる。すなわち、各セパレータ５，５ａの分岐部３３がコア９の外壁９ａに直接接している。
また、図２におけるダイ８とコア９は図１の構成と比べると樹脂流路３０が逆テーパ状、すなわちロート状に形成されている。
尚、図２の構成は図１と同一部分については同一符号を付し、その説明は図１を援用する。
【産業上の利用可能性】
【００１９】
本発明によるクロスヘッドは、クロスヘッド１の中でパリソン３を切断することができ、新設だけでなく、既存のクロスヘッドにも後付けでセパレータ５，５ａを設けることができる。
【符号の説明】
【００２０】
１    クロスヘッド
２    輪状吐出口
２Ａ    半径方向幅
３    パリソン
５,５ａ    セパレータ
７    シート
８    ダイ
８ａ    内壁
９    コア
９ａ    外壁
Ｐ    中心線
３０    樹脂流路
３１    凹部
３２    筒状ホルダ
３３    分岐部
３４    セパレータ体
３５    付勢体（圧縮弾性体）
６０    凹部
【図１】
2012240362.tif 000003
【図２】
2012240362.tif 000004
【図３】
2012240362.tif 000005
【図４】
2012240362.tif 000006
【図５】
2012240362.tif 000007
【図６】
2012240362.tif 000008